(57)【要約】【課題】組立または解体する際に、作業効率を向上させることができるエレベータの据付装置を得る。【解決手段】この発明のエレベータの据付装置は、昇降路内に昇降可能に設けられたかご枠１と、このかご枠１の上枠１ａの上側に設けられた仮設作業床６と、この仮設作業床６にボルト１５およびナット１６を介して固定された、昇降路の側壁に沿って延設されたガイドレール１０に摺動可能なガイドシュー７とを備え、ガイドシュー７は、上枠１ａに固定されている。【選択図】図４
2010037000.tif 000002
【特許請求の範囲】
【請求項１】
昇降路内に昇降可能に設けられたかご枠と、
前記かご枠の上枠の上側に設けられた仮設作業床と、
前記仮設作業床に設けられ、前記昇降路の側壁に沿って延設されたガイドレールに摺動可能なガイドシューとを備え、
前記仮設作業床および前記ガイドシューの何れか一方は、前記上枠に固定されたことを特徴とするエレベータの据付装置。
【請求項２】
前記ガイドシューは、前記ガイドレールに摺動可能なガイドシュー本体と、前記ガイドシュー本体を支持するとともに前記上枠に固定された支持部とを有し、
前記仮設作業床は、平板形状の作業床本体と、前記作業床本体の端部を支持した梁部とを有し、
前記梁部は、前記支持部に、前記上枠の長手方向に直交した方向であって、前記昇降路の側壁に離接する方向に移動可能に取り付けられていることを特徴とする請求項１に記載のエレベータの据付装置。
【請求項３】
前記支持部には、前記梁部の上端面および下端面の少なくとも一方に当接したストッパが設けられていることを特徴とする請求項１または請求項２に記載のエレベータの据付装置。
【請求項４】
前記支持部の前記梁部に面接触した面には、係合部が設けられ、
前記梁部には、前記係合部に係合される被係合部が複数個設けられ、
前記係合部が前記被係合部に係合して、前記昇降路の前記側壁に対して前記仮設作業床が位置決めされることを特徴とする請求項１ないし請求項３の何れか１項に記載のエレベータの据付装置。
【請求項５】
前記ガイドシューは、前記ガイドレールに摺動可能なガイドシュー本体と、前記ガイドシュー本体を支持するとともに前記上枠に固定された基部と、前記基部に立設された回動軸とを有し、
前記仮設作業床は、前記上枠の長手方向に伸縮可能な平板形状の作業床本体と、前記作業床本体の端部を支持した梁部と、基端部が前記回動軸に設けられ、先端部が前記梁部の端部を回動可能に支持して、前記回動軸を中心に回動可能な回動部とを有し、
前記回動部が前記回動軸を中心に回動することにより、前記梁部は、前記ガイドレールが取り付けられた前記昇降路の側壁に離接する方向に移動可能であることを特徴とする請求項１に記載のエレベータの据付装置。
【請求項６】
前記ガイドシューは、前記ガイドレールに摺動可能なガイドシュー本体と、前記ガイドシュー本体を支持するとともに前記上枠に固定された基部と、前記基部に設けられ、回転することで先端部が、前記ガイドレールが取り付けられた前記昇降路の側壁に向かって進退可能なボルトを有したボルト進退手段と、前記ボルトに設けられ、前記ボルトとともに移動可能な支持部とを有し、
前記仮設作業床は、前記上枠の長手方向に伸縮可能な平板形状の作業床本体と、前記作業床本体の端部を支持し、前記支持部に取り付けられた梁部とを有したことを特徴とする請求項１に記載のエレベータの据付装置。
【発明の詳細な説明】
【技術分野】
【０００１】
この発明は、かご枠の上側に設けられた仮設作業床と、ガイドレールに摺動可能なガイドシューとを備えたエレベータの据付装置に関する。
【背景技術】
【０００２】
従来、昇降路内に昇降可能に設けられたかご枠と、前記かご枠の上枠に固定された仮設作業床と、前記上枠に固定され、前記昇降路の側壁に沿って設けられたガイドレールに摺動可能なガイドシューとを備えたエレベータの据付装置が知られている（例えば、特許文献１参照）。
【０００３】
【特許文献１】特許第３３２８１５８号公報
【発明の開示】
【発明が解決しようとする課題】
【０００４】
しかしながら、このものの場合、エレベータの据付装置を組立または解体する際に、仮設作業床とガイドシューとを別々にかご枠に着脱するので、作業効率が悪いという問題点があった。
【０００５】
この発明は、上述のような問題点を解決することを課題とするものであって、その目的は、組立または解体する際に、作業効率を向上させることができるエレベータの据付装置を提供するものである。
【課題を解決するための手段】
【０００６】
この発明に係るエレベータの据付装置は、昇降路内に昇降可能に設けられたかご枠と、前記かご枠の上枠の上側に設けられた仮設作業床と、前記仮設作業床に設けられ、前記昇降路の側壁に沿って延設されたガイドレールに摺動可能なガイドシューとを備え、前記仮設作業床および前記ガイドシューの何れか一方は、前記上枠に固定されている。
【発明の効果】
【０００７】
この発明に係るエレベータの据付装置によれば、ガイドシューが仮設作業床に設けられ、仮設作業床およびガイドシューの何れか一方が上枠に固定されているので、組立または解体する際に、作業効率を向上させることができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係るエレベータの据付装置を示す斜視図、図２は図１のかご枠１と上部作業体３とを示す拡大図、図３は図１のエレベータの据付装置の要部を示す平面図である。
この実施の形態に係るエレベータの据付装置は、昇降路内に昇降可能に設けられたかご枠１と、このかご枠１の下部に設けられた下部作業体２と、かご枠１の上部に設けられた上部作業体３とを備えている。
【０００９】
下部作業体２は、かご枠１の下枠（図示せず）の上側に水平に設けられた本設作業床４と、この本設作業床４の上面であって、周縁部に立てられた第１の仮設手摺５とを備えている。
【００１０】
上部作業体３は、かご枠１の上枠１ａの上側に水平に設けられた仮設作業床６と、この仮設作業床６に設けられたガイドシュー７と、仮設作業床６の上面であって、周縁部に立てられた第２の仮設手摺８と、この第２の仮設手摺８に設けられた、仮設作業床６の上方を覆った仮設天井９とを備えている。
ガイドシュー７は、昇降路の側壁に沿って延設されたガイドレール１０に摺動可能となっている。
【００１１】
図４は図１の仮設作業床６とガイドシュー７とを示す正面図、図５は図４のガイドシュー７を示す斜視図、図６は図５のガイドシュー７の背面図である。
ガイドシュー７は、Ｕ字形状に形成された、ガイドレール１０に摺動可能なガイドシュー本体１１と、このガイドシュー本体１１を支持するとともに、上枠１ａに固定された支持部１２とを備えている。
支持部１２は、上枠１ａの上面に平行に配置された平板形状の水平部１２ａと、この水平部１２ａから上方に延びて一体に形成された平板形状の上延部１２ｂと、上延部１２ｂから反ガイドシュー本体１１側へ水平方向に延びて一体に形成されたストッパである水平延部１２ｃとを備えている。
なお、水平延部１２ｃは設けられなくてもよい。
上延部１２ｂは、上枠１ａの長手方向に直交するように形成されており、この上延部１２ｂには、上枠１ａの側面に対向した昇降路の側壁に向かって延びた長孔１２ｄが２個形成されている。
【００１２】
仮設作業床６は、水平に配置された平板形状の作業床本体１３と、この作業床本体１３の端部を支持した断面Ｌ字形状の梁部１４とを有している。
梁部１４は、一端部の上面が作業床本体１３の下面に面接触するとともに一端部の下面が支持部１２の水平延部１２ｃの上面に当接され、他端部が上方に延びて支持部１２の上延部１２ｂと面接触している。
水平延部１２ｃが梁部１４の下端面に当接することで、梁部１４が下方へ移動することが規制されている。
梁部１４には、２個のボルト１５が貫通して設けられており、これらのボルト１５は、支持部１２の長孔１２ｄに貫通しており、それぞれのボルト１５の先端部には、ナット１６が螺着されている。
ボルト１５とナット１６とにより支持部１２と梁部１４とを締め付けることで、支持部１２と梁部１４とが固定され、ボルト１５とナット１６とによる支持部１２と梁部１４との締め付けを緩めることで、ボルト１５が長孔１２ｄを移動可能となり、梁部１４が上枠１ａの長手方向に直交した方向であって昇降路の側壁に離接する方向に移動可能となる。
【００１３】
次に、この実施の形態に係るエレベータの据付装置を昇降路の内部に取り付ける手順について説明する。
まず、昇降路内にかご枠１を配置し、かご枠１の下枠に下部作業体２を取り付ける。
次に、ガイドシュー７に仮設作業床６を取り付け、ボルト１５とナット１６とによる支持部１２と梁部１４との締め付けを緩めた状態にする。
さらに、ガイドレール１０にガイドシュー本体１１が摺動可能になるようにして、ガイドシュー７の支持部１２をかご枠１の上枠１ａに固定する。
最後に、作業床本体１３が昇降路の側壁の近傍に配置されるように、支持部１２に対して梁部１４を移動させた後、ボルト１５とナット１６とにより支持部１２と梁部１４とを締め付けて、支持部１２と梁部１４とを固定する。
【００１４】
以上説明したように、この実施の形態に係るエレベータの据付装置によれば、仮設作業床６がガイドシュー７に設けられ、ガイドシュー７が上枠１ａに固定されているので、組立または解体する際に、作業効率を向上させることができる。
また、ガイドシュー７をガイドレール１０に摺動可能に配置することで、同時に仮設作業床６の梁部１４をガイドレール１０から所定の位置に配置することができる。
また、仮設作業床６がガイドシュー７に支持されているので、仮設作業床６を上枠１ａから上方へ離間して配置することができ、上枠１ａの上面に取り付けられたボルト等と仮設作業床６とが接触することを防止することができる。
また、仮設作業床６とガイドシュー７とを別々に上枠１ａに固定するエレベータの据付装置を比べて、梁部１４をガイドレール１０に近づけて配置することができるので、作業床本体１３の面積を大きくすることができる。
【００１５】
また、梁部１４は、支持部１２に、上枠１ａの長手方向に直交した方向であって、昇降路の側壁に離接する方向に移動可能に取り付けられているので、異なるサイズの昇降路であっても、作業床本体１３を昇降路の側壁の近傍に配置することができ、その結果、昇降路の側壁に形成された乗場と作業床本体１３との隙間を所定の寸法以内にすることができる。
【００１６】
また、支持部１２には、梁部１４の下端面に当接した水平延部１２ｃを含んでいるので、例えば、仮設作業床６であって梁部１４から離れた位置に大きな負荷が加えられることで、梁部１４に形成された、ボルト１５が取り付けられた孔が変形した場合であっても、支持部１２に対して梁部１４が下方へ移動することが規制され、仮設作業床６を水平に維持することができる。
【００１７】
なお、この実施の形態では、仮設作業床６がガイドシュー７に支持され、ガイドシュー７が上枠１ａに固定されたエレベータの据付装置について説明したが、勿論このものに限らず、ガイドシュー７が仮設作業床６に支持され、仮設作業床６が上枠１ａに固定されたエレベータの据付装置であってもよい。
【００１８】
実施の形態２．
図７はこの実施の形態に係るエレベータの据付装置の要部を示す正面図、図８は図７のガイドシュー７と梁部１４とを示す平面図である。
この実施の形態に係るエレベータの据付装置は、支持部１２の上延部１２ｂの上端部に、梁部１４の上端面に当接したストッパである蝶ボルト１７が２個、互いに離間して取り付けられている。
蝶ボルト１７が梁部１４の上端面に当接することで、仮設作業床６が上方へ移動することが規制されている。
その他の構成は、実施の形態１と同様である。
【００１９】
この実施の形態に係るエレベータの据付装置によれば、支持部１２には、梁部１４の上端面に当接した蝶ボルト１７が取り付けられているので、例えば、仮設作業床６であって梁部１４から離れた位置に大きな負荷が加えられることで、梁部１４に形成された、ボルト１５が取り付けられた孔が変形した場合であっても、支持部１２に対して梁部１４が上方へ移動することが規制され、仮設作業床６を水平に維持することができる。
【００２０】
実施の形態３．
図９はこの実施の形態に係るエレベータの据付装置の要部を示す正面図、図１０は図９のガイドシュー７と梁部１４とを示す背面図である。
この実施の形態に係るエレベータの据付装置は、支持部１２の梁部１４に面接触した面に、梁部１４側に突出した係合部である突出部１８が設けられている。
この突出部１８は、支持部１２に貫通孔を形成して、この貫通孔に六角ボルトを梁部１４側から螺着することで、簡単に支持部１２に設けることができる。
なお、突出部１８は、このものに限らず、例えば、支持部１２に一体に形成されてもよい。
また、このエレベータの据付装置は、梁部１４に、突出部１８と係合可能な被係合部である貫通孔１４ａが複数個形成されている。
昇降路の大きさは、規格によって決められており、それぞれの大きさの昇降路に合わせて、それぞれの貫通孔１４ａは、所定の間隔で、梁部１４の長手方向に沿って並べられている。
したがって、突出部１８が所定の貫通孔１４ａに係合することで、昇降路の側壁に対して仮設作業床６が位置決めされる。
その他の構成は、実施の形態１と同様である。
なお、実施の形態２に係るエレベータの据付装置のように、支持部１２に、梁部１４の上端面に当接した蝶ボルト１７を設けてもよい。
【００２１】
この実施の形態に係るエレベータの据付装置によれば、支持部１２の梁部１４に面接触した面には、突出部１８が形成され、梁部１４には突出部１８に係合される貫通孔１４ａが複数個形成され、突出部１８が貫通孔１４ａに係合して、昇降路の側壁に対して仮設作業床６が位置決めされるので、簡単に仮設作業床６を所定の位置に取り付けることができる。
また、突出部１８が貫通孔１４ａに係合することで、支持部１２に対する梁部１４の上下方向および水平方向の移動を規制することができる。
【００２２】
なお、この実施の形態では、支持部１２に突出部１８が設けられ、梁部１４には突出部１８が係合可能な貫通孔１４ａが形成されたエレベータの据付装置について説明したが、勿論このものに限らず、梁部１４に突出部が設けられ、支持部１２には突出部が係合可能な貫通孔が形成されたエレベータの据付装置であってもよい。この場合、突出部は、梁部１４に複数の貫通孔を形成し、何れか１つの貫通孔にネジを支持部１２側から螺着することで、簡単に梁部１４に設けることができる。
【００２３】
実施の形態４．
図１１はこの実施の形態に係るエレベータの据付装置の要部を示す平面図、図１２は図１のエレベータの据付装置の他の実施態様を示す平面図である。
この実施の形態に係るエレベータの据付装置のガイドシュー７は、Ｕ字形状に形成された、ガイドレール１０に摺動可能なガイドシュー本体１９と、このガイドシュー本体１９を支持するとともに上枠１ａに固定された平板形状の基部２０と、この基部２０に立設された回動軸２１とを備えている。
このエレベータの据付装置の仮設作業床６は、水平に配置された平板形状の作業床本体２２と、この作業床本体２２の端部を支持した断面Ｌ字形状の梁部２３と、基端部が回動軸２１に回動可能に設けられ、先端部が梁部２３の端部を回動可能に支持した断面Ｌ字形状の回動部２４とを備えている。
作業床本体２２は、上枠１ａの長手方向に伸縮可能となっている。
なお、回動部２４が回動軸２１に固定され、回動軸２１が基部２０に回動可能に設けられてもよい。
【００２４】
基部２０には、ガイドレール１０が取り付けられた昇降路の側壁と回動部２４とが平行になっているときに回動部２４に当接して、回動部２４がさらに回動して先端部が昇降路の側壁から離間することを規制する第１の当接部２５と、ガイドレール１０が取り付けられた昇降路の側壁に回動部２４の先端部が近接して回動部２４が所定の回動位置となっているときに回動部２４に当接して、回動部２４がさらに回動して先端部が昇降路の側壁に接近することを規制する第２の当接部２６とが設けられている。
梁部２３および回動部２４には、回動部２４が回動して所定の位置となったときに、梁部２３の端面と回動部２４の端面とが当接して、梁部２３が昇降路の側壁と平行になるように切り込みされている。
梁部２３と回動部２４との間には引張りバネ２７が設けられており、回動部２４の先端部が昇降路の側壁に近接して所定の回動位置となっているときに、回動部２４は昇降路の側壁と平行になる位置へ回動するように付勢される。
梁部２３には、引き紐２８の一端部が取り付けられており、基部２０には、回動軸２１より昇降路の側壁に近接した位置にピン２９が設けられている。
引き紐２８の他端部をピン２９に巻き掛けた後に、昇降路の側壁から離間する方向に引っ張ることで、梁部２３は、回動軸２１側に移動するとともに、ガイドレール１０が取り付けられた昇降路の側壁に接近する方向へ移動する。
このとき、作業床本体２２は、上枠１ａの長手方向に伸長して、昇降路の側壁に接近する。
引き紐２８の他端部を第１の当接部２５に結び付けることで、梁部２３を所定の位置に固定することができる。
その他の構成は、実施の形態１と同様である。
【００２５】
この実施の形態に係るエレベータの据付装置によれば、回動部２４が回動軸２１を中心に回動することにより、梁部２３は、ガイドレール１０が取り付けられた昇降路の側壁に離接する方向に移動可能であるので、作業床本体２２を昇降路の側壁に接近させることができる。
【００２６】
実施の形態５．
図１３はこの実施の形態に係るエレベータの据付装置の要部を示す正面図である。
この実施の形態に係るエレベータの据付装置のガイドシュー７は、Ｕ字形状に形成された、ガイドレール１０に摺動可能なガイドシュー本体３０と、このガイドシュー本体３０を支持するとともに上枠１ａに固定された平板形状の基部３１と、この基部３１に設けられた、回動可能なボルト３２ａを有したボルト進退手段３２と、ボルト３２ａに設けられた、ボルト３２ａとともに移動可能な支持部３３とを備えている。
作業床本体１３は、上枠１ａの長手方向に伸縮可能となっている。
梁部１４は、ボルト１５およびナット１６を介して、支持部３３に固定されている。
ボルト進退手段３２は、ボルト３２ａと、基部３１に固定された、ボルト３２ａを回転可能に保持した保持部３２ｂと、ボルト３２ａの先端部に固定された、ボルト３２ａとともに移動する一対のリング部３２ｃとを備えている。
保持部３２ｂにはネジ溝が形成されており、ボルト３２ａが回転することで、ボルト３２ａは、ガイドレール１０が取り付けられた昇降路の側壁に向かって進退する。
一対のリング部３２ｃは、リング部３２ｃ間に支持部３３が挿入できる程度に隙間をあけて配置されている。
ボルト３２ａが回転することで、ボルト３２ａとともにリング部３２ｃが、ガイドレール１０が取り付けられた昇降路の側壁に離接する方向に移動し、リング部３２ｃに当接された支持部３３も、ガイドレール１０が取り付けられた昇降路の側壁に離接する方向に移動する。
このとき、作業床本体１３は、上枠１ａの長手方向に伸縮して、昇降路の側壁に離接する。
その他の構成は、実施の形態１と同様である。
【００２７】
この実施の形態に係るエレベータの据付装置によれば、ガイドシュー７は、回転することで先端部が、ガイドレール１０が取り付けられた昇降路の側壁に向かって進退可能なボルト３２ａを有したボルト進退手段３２と、ボルト３２ａに設けられた、ボルト３２ａとともに移動可能な支持部３３とを備え、梁部１４が支持部３３に支持されているので、作業床本体１３を昇降路の側壁に接近させることができる。
【図面の簡単な説明】
【００２８】
【図１】この発明の実施の形態１に係るエレベータの据付装置を示す斜視図である。
【図２】図１のかご枠と上部作業床とを示す拡大図である。
【図３】図１のエレベータの据付装置の要部を示す平面図である。
【図４】図１の仮設作業床とガイドシューとを示す正面図である。
【図５】図４のガイドレールを示す斜視図である。
【図６】図５のガイドレールの背面図である。
【図７】この発明の実施の形態２に係るエレベータの据付装置の要部を示す正面図である。
【図８】図７のガイドシューと梁部とを示す平面図である。
【図９】この発明の実施の形態３に係るエレベータの据付装置の要部を示す正面図である。
【図１０】図９のガイドシュー７と梁部１４とを示す背面図である。
【図１１】この発明の実施の形態４に係るエレベータの据付装置の要部を示す平面図である。
【図１２】図１１のエレベータの据付装置の他の実施態様を示す平面図である。
【図１３】この発明の実施の形態５に係るエレベータの据付装置の要部を示す正面図である。
【符号の説明】
【００２９】
１  かご枠、１ａ  上枠、２  下部作業体、３  上部作業体、４  本設作業床、５  第１の仮設手摺、６  仮設作業床、７  ガイドシュー、８  第２の仮設手摺、９  仮設天井、１０  ガイドレール、１１  ガイドシュー本体、１２  支持部、１２ａ  水平部、１２ｂ  上延部、１２ｃ  水平延部（ストッパ）、１２ｄ  長孔、１３  作業床本体、１４  梁部、１４ａ  貫通孔（被係合部）、１５  ボルト、１６  ナット、１７  蝶ボルト（ストッパ）、１８  突出部（係合部）、１９  ガイドシュー本体、２０  基部、２１  回動軸、２２  作業床本体、２３  梁部、２４  回動部、２５  第１の当接部、２６  第２の当接部、２７  引張りバネ、２８  引き紐、２９  ピン、３０  ガイドシュー本体、３１  基部、３２  ボルト進退手段、３２ａ  ボルト、３２ｂ  保持部、３２ｃ  リング部。
【図１】
2010037000.tif 000003
【図２】
2010037000.tif 000004
【図３】
2010037000.tif 000005
【図４】
2010037000.tif 000006
【図５】
2010037000.tif 000007
【図６】
2010037000.tif 000008
【図７】
2010037000.tif 000009
【図８】
2010037000.tif 000010
【図９】
2010037000.tif 000011
【図１０】
2010037000.tif 000012
【図１１】
2010037000.tif 000013
【図１２】
2010037000.tif 000014
【図１３】
2010037000.tif 000015